(57)【要約】【課題】脈波の計測を簡単に、かつ通信環境の制限なく行えるようにする。【解決手段】脈波計測装置１は、コンピュータにユニバーサルシリアルバス接続可能なＵＳＢプラグ３が本体部２の一端部に延設されている。本体部２の他端部には、光電センサユニット２５が配置されている。光電センサユニット２５は、発光素子１０と受光素子１１を有し、これら素子１０，１１は本体部２のカバー５の一部を開口させることで露出させてある。各素子１０，１１は、弾性体１２でコーティングされている。【選択図】図１
2008113895.tif 000002
【特許請求の範囲】
【請求項１】
人体の脈波を計測する装置であって、
脈波のデータ処理を行う処理装置に設けられたユニバーサルシリアルバスのポートに接続可能な接続部が一端に設けられ、他端には指先を配置可能な計測部が形成されており、この計測部に脈波の計測を行う光電式センサが配置されていることを特徴とする脈波計測装置。
【請求項２】
前記光電式センサが発光部と受光部を備える反射型のセンサであることを特徴とする請求項１に記載の脈波計測装置。
【請求項３】
前記発光部の発光量を制御し、かつ前記発光部を間欠発光させるデジタルスイッチを有することを特徴とする請求項２に記載の脈波計測装置。
【請求項４】
前記センサは、計測部を含む他端を指で挟んだときに一方の指の腹が前記センサに面する位置に配置されていることを特徴とする請求項１から請求項３のいずれか一項に記載の脈波計測装置。
【請求項５】
前記計測部は、リブが指の形状に略倣って略Ｕ字状に延び、前記センサは脈波の計測に使用される光に対して透明な弾性体でコーティングされていることを特徴とする請求項４に記載の脈波計測装置。
【請求項６】
前記センサで脈波データを取得し、前記処理装置で前記脈波データをデータ処理した計測データを暗号化又は復号化する暗号処理部と、暗号化した計測データを保存するメモリとを有する請求項１から請求項５のいずれか一項に記載の脈波計測装置。
【請求項７】
前記メモリは、暗号化した計測データを保存する領域に加えて、前記処理装置からアクセス可能でデータの書き込みや読み出しが可能な領域を有することを特徴とする請求項６に記載の脈波計測装置。
【請求項８】
前記メモリには、前記処理装置で脈波のデータ処理をするために必要なアプリケーションソフトが読み出し可能に保存されていることを特徴とする請求項７に記載の脈波計測装置。
【請求項９】
処理装置で脈波のデータ処理をするために必要なアプリケーションソフトを前記処理装置のオペレーションシステムにより起動し、前記アプリケーションソフトにより脈波計測装置を作動させ、脈波データを取得し、前記脈波データを前記処理装置に伝送し、前記処理装置で前記脈波データをデータ処理して計測データとし、前記計測データを前記脈波計測装置に返送し前記暗号処理部で暗号化し、暗号化した計測データを前記脈波計測装置のメモリに保存することを特徴とする脈波計測方法。
【請求項１０】
前記処理装置で前記脈波データをデータ処理して計測データとしたものを、前記処理装置に設けられた表示部または前記処理装置に接続された表示部に表示する請求項９に記載の脈波計測方法。
【請求項１１】
前記処理装置で前記脈波データをデータ処理して計測データとしたもの、及び前記メモリに暗号化して保存した計測データを前記暗号化処理部で復号化したものを、前記処理装置に設けられた表示部または前記処理装置に接続された表示部に表示することを特徴とする請求項９に記載の脈波計測方法。
【発明の詳細な説明】
【技術分野】
【０００１】
本発明は、データ処理を行う処理装置に容易に接続可能な脈波計測装置及び脈波計測方法に関する。
【背景技術】
【０００２】
従来、血管年齢などといった、血液循環に関する情報を取得する脈波計測装置には、高価で大型のものが多かった。血圧や脈拍などの生体情報を小型の装置で計測するシステムとしては、例えば、センサを、携帯電話のように双方向通信機能を備える携帯情報端末に取り付け可能に構成したものがある（例えば、特許文献１参照）。携帯情報端末は、脈波を２階微分して加速度脈波を算出し、加速度脈波が何らかの異常状態であると推論された場合には、利用者に対して注意を促す表示を表示装置や音声を利用して出力する。さらに、予め契約した医療機関に計測データを転送して定期的に生活指導を受けることが可能になる。
なお、指紋を認証する装置の場合には、ユニバーサルシリアルバス（ＵＳＢ）によってコンピュータに接続可能な指紋認証装置が特許文献２に開示されている。この指紋認証装置は、指紋センサ素子と、指紋の真実性を照明するための認証エンジンとを有し、フラッシュメモリに予め登録された指紋のテンプレートが記憶されている。この装置は、指紋センサ素子で指紋を取得したら、認証エンジンがテンプレートと比較して指紋の真実性を調べる。
【特許文献１】特開２００４−３５１１８４号公報
【特許文献２】特表２００５−５０５０２６号公報
【発明の開示】
【発明が解決しようとする課題】
【０００３】
しかしながら、生体情報として脈波を計測する場合、特許文献１に開示されている装置では、脈波の計測データを記録する際に、ネットワーク接続された他の端末装置にデータを送信する必要があった。また、携帯電話などに接続するためには、専用のインターフェイスを設ける必要があると共に、携帯電話に脈波のデータ処理専用のアプリケーションソフトを予め追加しておく必要があった。
この発明は、このような事情に鑑みてなされており、脈波の計測を簡単に、かつ通信環境の制限なく行えるようにすることを主な目的とする。
【課題を解決するための手段】
【０００４】
上記の課題を解決する本発明の請求項１に係る発明は、人体の脈波を計測する装置であって、脈波のデータ処理を行う処理装置に設けられたユニバーサルシリアルバスのポートに接続可能な接続部が一端に設けられ、他端には指先を配置可能な計測部が形成されており、この計測部に脈波の計測を行う光電式センサが配置されていることを特徴とする脈波計測装置とした。
この脈波計測装置は、処理装置にユニバーサルシリアルバス（ＵＳＢ）接続が可能であり、ＵＳＢ接続した状態で脈波を計測できる。
【０００５】
請求項２に係る発明は、請求項１に記載の脈波計測装置において、前記光電式センサが発光部と受光部を備える反射型のセンサであることを特徴とする。
この脈波計測装置は、発光部で発光させた光が指先で反射する。このときの反射光を受光して脈波を測定する。
【０００６】
請求項３に係る発明は、請求項２に記載の脈波計測装置において、前記発光部の発光量を制御し、かつ前記発光部を間欠発光させるデジタルスイッチを有することを特徴とする。
この脈波計測装置は、発光部の発光量を制御することで、受光部から出力される信号の飽和を防ぐ。発光部を間欠発光させると、脈波データを所定の周波数のデータとして取得できる。
【０００７】
請求項４に係る発明は、請求項１から請求項３のいずれか一項に記載の脈波計測装置において、前記センサは、計測部を含む他端を指で挟んだときに一方の指の腹が前記センサに面する位置に配置されていることを特徴とする。
この脈波計測装置では、指で挟むことで脈波の計測が行える。指の位置が安定するので計測精度が向上する。
【０００８】
請求項５に係る発明は、請求項４に記載の脈波計測装置において、前記計測部は、リブが指の形状に略倣って略Ｕ字状に延び、前記センサは脈波の計測に使用される光に対して透明な弾性体でコーティングされていることを特徴とする。
この脈波計測装置は、外部の光をリブが遮蔽してセンサに入力されないようにする。センサは、弾性体で保護されると共に、指の置き易くなっている。
【０００９】
請求項６に係る発明は、請求項１から請求項５のいずれか一項に記載の脈波計測装置において、前記センサで脈波データを取得し、前記処理装置で前記脈波データをデータ処理した計測データを暗号化又は復号化する暗号処理部と、暗号化した計測データを保存するメモリとを有する。
この脈波計測装置は、データ処理は処理装置で行うが、処理後のデータは処理装置に残さずに、脈波計測装置のメモリに保存する。処理装置に脈波データが残らないので個人情報の保護が確実になる。
【００１０】
請求項７に係る発明は、請求項６に記載の脈波計測装置において、前記メモリは、暗号化した計測データを保存する領域に加えて、前記処理装置からアクセス可能でデータの書き込みや読み出しが可能な領域を有することを特徴とする。
この脈波計測装置は、暗号化をすることで、第三者が計測データをみることができなくしている。これに対して、アクセス可能な領域も有するので、通常のストレージとしても使用できる。
【００１１】
請求項８に係る発明は、請求項５に記載の脈波計測装置において、前記メモリには、前記処理装置で脈波のデータ処理をするために必要なアプリケーションソフトが読み出し可能に保存されていることを特徴とする。
この脈波計測装置では、処理装置が必要なアプリケーションソフトを有しない場合にはメモリに保存されているアプリケーションソフトをインストールすることでデータ処理が行えるようになる。
【００１２】
請求項９に係る発明は、処理装置で脈波のデータ処理をするために必要なアプリケーションソフトを前記処理装置のオペレーションシステムにより起動し、前記アプリケーションソフトにより脈波計測装置を作動させ、脈波データを取得し、前記脈波データを前記処理装置に伝送し、前記処理装置で前記脈波データをデータ処理して計測データとし、前記計測データを前記脈波計測装置に返送し前記暗号処理部で暗号化し、暗号化した計測データを前記脈波計測装置のメモリに保存することを特徴とする脈波計測方法。
この脈波計測方法は、脈波計測装置で取得した脈波データを処理装置のアプリケーションソフトによってデータ処理する。データ処理によって得られた計測データは、暗号されて脈波計測装置に記憶される。
【００１３】
請求項１０に係る発明は、請求項９に記載の脈波計測方法において、前記処理装置で前記脈波データをデータ処理して計測データとしたものを、前記処理装置に設けられた表示部または前記処理装置に接続された表示部に表示する。
この脈波計測方法は、測定データを表示部に表示させることで、主に脈波の測定時に被検者や医師などが確認できる。
【００１４】
請求項１１に係る発明は、請求項９に記載の脈波計測方法において、前記処理装置で前記脈波データをデータ処理して計測データとしたもの、及び前記メモリに暗号化して保存した計測データを前記暗号化処理部で復号化したものを、前記処理装置に設けられた表示部または前記処理装置に接続された表示部に表示することを特徴とする。
この脈波計測方法は、測定データや、メモリに一旦保存した測定データを表示部に表示させることで、脈波を測定したとき以外でも被検者や医師などが脈波の情報を確認できる。
【発明の効果】
【００１５】
本発明によれば、処理装置にユニバーサルシリアルバス接続して、センサの光路上に指を晒すだけで、脈波を簡単に計測できるようになる。センサ部分が小型、軽量化できるので持ち運びが容易になる。ユニバーサルシリアルバス接続を利用するので、汎用性が高まる。
【発明を実施するための最良の形態】
【００１６】
発明を実施するための最良の形態について図面を参照しながら詳細に説明する。
図１から図３に示すように、脈波計測装置１は、ユニバーサルシリアルバス（ＵＳＢ）を利用してコンピュータ等の処理装置に接続可能なユニットとして構成されている。
脈波計測装置１は、細長形状の本体部２の一端部にコンピュータ側のＵＳＢコネクタに接続される接続部として、ＵＳＢプラグ３が突設されている。本体部２は、他端部に設けられている計測部４を除いてカバー５で覆われている。計測部４は、指の形状に略合わせてカバー５を開口させて形成されており、略Ｕ字形のリブ７で縁取りされている。リブ７は、指先に略倣う形状に形成されている。リブ７の高さは、脈波の計測時に外部の光を遮断する壁として機能するために十分な長さになっている。計測部４は、カバー５の開口部に配置される指パッド部８を有する。指パッド部８には、発光部である発光素子１０と、受光部である受光素子１１が並んで配置されており、これら素子１０，１１は発光素子１０の光に対して透明な弾性体１２でコーティングされている。弾性体１２は、指を置き易いように、中央が凹んだ湾曲形状を有している。なお、本体部２の他端側の側部には、携帯用の紐を通す穴９が突設されている。
【００１７】
図４に示すように、脈波計測装置１は、マイコンからなるコントローラ２１と、電圧調整用のレギュレータ２２と、暗号処理部２３と、不揮発メモリであるフラッシュメモリ２４と、脈波を計測する光電式センサである光電センサユニット２５とを有する。
コントローラ２１は、光電センサユニット２５の制御と、暗号処理部２３やフラッシュメモリ２４へのデータの書き込み及び読み出しと、外部の処理装置であるコンピュータ３１との通信を制御する。
暗号処理部２３は、計測データの暗号化と復号化を行う。この実施の形態では、暗号化及び復号化に共通の鍵を使用する方式を採用しており、例えば、ＡＥＳ（Advanced Encryption Standard）を採用している。鍵には、共通鍵が使用される。共通鍵は、ユーザごとに設定されるが、必要に応じて後からユーザが変更することも可能である。なお、暗号化の方式や、鍵の形態は、これに限定されない。
また、本機能は外付けの機能を用いる他、マイコン内に実装しても良い。
【００１８】
図５に模式的に示すように、フラッシュメモリ２４は、読み出しのみが許可されたリードオンリー領域として、ＦＡＴと呼ばれるファイルシステムの領域３２と、ファームウェアや計測用のアプリケーションソフトが格納される領域３３と、生体情報として計測データ（バイタルデータ）を格納する領域３４とを有する。また、読み書き可能な領域としてユーザ領域３５を有する。ユーザ領域３５は、コンピュータ３１のＯＳ（Operating System）から自由に読み書きが可能である。ただし、ユーザがユーザ領域３５のデータに暗号化を施したり、アクセス制限を設けたりすることは可能である。なお、通常の記録媒体と同様の手法で、コンピュータ３１のＯＳから脈波計測装置１のファイル構成をみると、ユーザ領域３５がアクセス可能に表示され、領域３２〜３４で示されるリードオンリー領域はシステムの領域３２のみが表示される。したがって、ファームウェアや解析アプリケーションソフト、計測データの情報は表示されず、コンピュータ３１のＯＳから任意にアクセスすることはできない。
【００１９】
図４に示すように、光電センサユニット２５は、コントローラ２１からの指令を受け付けるデジタルスイッチ（Ｄ／Ｓ）４１と、トランジスタスイッチ４２とによって発光素子１０の発光制御を行う。発光素子１０には、例えば、赤色ダイオードが用いられている。デジタルスイッチ４１は、発光素子１０の抵抗値を切り替えて発光出力を変化させて発光量を調整する機能を有する。さらに、光電センサユニット２５は、発光素子１０の赤色光が指先に反射した光を受光する受光素子１１を有し、受光素子１１の出力信号がオペアンプ４３で増幅された後に、Ａ／Ｄ（Audio/Digital）変換器４４でデジタル信号に変換され、コントローラ２１に出力されるように構成されている。例えば、受光素子１１としては、フォトダイオードが用いられている。オペアンプ４３は、例えば、信号強度を５０倍に増幅する機能を有し、Ａ／Ｄ変換器４４は、例えば、１８ｂｉｔ程度の精度を有するものが使用されている。なお、光電センサユニット２５の構成は、これに限定されない。
【００２０】
ここで、図６及び図７にレイアウトの一例を示すように、脈波計測装置１は１つの基板５１上に必要な回路が搭載されている。基板５１の一方の面５１Ａには、指パッド部８が配置されている。さらに、コントローラ２１と、フラッシュメモリ２４と、オペアンプ４３が配置されている。基板５１の他方の面５１Ｂには、レギュレータ２２と、フラッシュメモリ２４と、暗号処理部２３と、デジタルスイッチ４１と、オペアンプ４３と、Ａ／Ｄ変換器４４が配置されている。
【００２１】
なお、図４に示すコンピュータ３１は、ＵＳＢポートを少なくとも１つ有し、データを記録するハードディスクなどの記憶装置と、キーボードやマウスのようなデータ入力装置と、表示部であるディスプレイとを有するもので、例えば汎用のパーソナルコンピュータが用いられる。記憶装置には、脈波解析用のアプリケーションソフトが記憶される。なお、コンピュータ３１は、ＵＳＢポートを備えてデータ処理が可能な構成を有すれば良く、組み込み型機器など種々の装置であっても良い。また、表示部は、コンピュータ３１に設けられても良いし、コンピュータ３１に接続して使用可能な装置であっても良い。
【００２２】
次に、この実施の形態の作用について説明する。
脈波を計測するときは、コンピュータ３１のＵＳＢポートにＵＳＢプラグ３を挿入して脈波計測装置１を接続する。コンピュータ３１は、ＣＰＵファーム情報によって脈波計測装置１を汎用のストレージ装置として認識する。初めて脈波計測装置１が接続された場合など、コンピュータ３１の記憶装置上に計測用のアプリケーションソフトが存在しない場合には、コンピュータ３１の自動ブート機能によってアプリケーションソフトが記憶装置にインストールされる。このとき、暗号処理部２３がフラッシュメモリ２４の領域３３にある計測用のアプリケーションソフトを復号してからインストールする。但し、アプリケーションソフトの複号には、ユーザが定義した共通鍵を使用しても良いし、初期設定で設定された共通鍵でも良い。
【００２３】
ここで、本装置１の自動起動方法について、図８を参照して説明する。最初に設定ファイルを読み込んだら（ステップＳ１０１）、インストールチェッカーを起動させる（ステップＳ１０２）。インストールチェッカーは、ＯＳの自動起動やユーザのアプリケーション起動動作によって起動し、計測用のアプリケーションソフトがインストールされているか否かを判定するサブアプリケーションである。
インストールチェッカーが、計測用のアプリケーションソフトがインストールされていないと判定した場合には（ステップＳ１０３でＮｏ）、インストーラを起動させて計測用のアプリケーションソフトをインストールする（ステップＳ１０４）。コンピュータ３１の表示部に初期設定画面を表示させ、バイタルデータが格納される領域の共通鍵を入力させる（ステップＳ１０５）。この後、計測用のアプリケーションソフトを起動し、脈波計測を開始する（ステップＳ１０６）。インストールチェッカーなどのサブアプリケーションは、ここで破棄される。なお、ステップＳ１０３で、計測用のアプリケーションソフトがインストールされていると判定された場合には（ステップＳ１０３でＹｅｓ）、そのままステップＳ１０６に進んで計測用のアプリケーションソフトを起動し脈波計測を開始する。
【００２４】
図９に示すように、脈波を計測して脈波データを取得するときは、脈波計測装置１の計測部４に指を配置し、指パッド部８を指先で挟むようにつまんで、弾性体１２に指先の腹を密着させる。さらに、指はリブ７の内周側の壁面に接触する。これによって、外部の光は、指の周囲に巡らせてあるリブ７で遮蔽される。発光素子１０が発光して、指先の血管で反射した光が受光素子１１に入力される。受光素子１１は、入力された光に応じた強度のアナログ信号を生成する。このアナログ信号は、増幅された後に、デジタル信号に変換され、コントローラ２１からＵＳＢ接続されたコンピュータ３１に送信される。ここで、発光素子１０を点滅させることで、受光素子１１から出力される信号を変調することができる。また、受光素子１１から出力される信号の強度が飽和したときには、デジタルスイッチ４１で発光素子１０の抵抗値を調整する。
【００２５】
図１０に示すように、光電センサユニット２５の発光素子１０は、コントローラ２１からの指令を受けるディジタルスイッチ(Ｄ／Ｓ)４１の機能により点灯と消灯を間欠的に繰り返す変調動作を行う。点灯と消灯は、所定の周期時間Ｔｓ／２ごとに繰り返される。
光電センサユニット２５の受光素子１１が出力される信号は、Ａ／Ｄ変換器４４を通した後、コントローラ２１に入力される。コントローラ２１内部では、復調処理を行い所定の脈波信号を得る。変調周波数は、商用電源ノイズ帯域である５０Ｈｚ及び６０Ｈｚを回避するためこの３０倍程度の周波数で変調動作を行う。変調周波数は３０倍に囚われず商用電源周波数の２倍以上であれば良い。
【００２６】
コンピュータ３１では、計測用のアプリケーションソフトで脈波データのデータ処理が行われる。例えば、高速フーリエ変換や周波数フィルタを用いてノイズを除去し、脈波の信号強度が変化する周期から脈波の周期を算出したり、脈波の周期に基づいて脈端数を算出したりする。データ処理後の計測データは、コンピュータ３１の記憶装置には記憶せずに、ＵＳＢポート６１から脈波計測装置１に直接返送される。この際、図４に示すように、コンピュータ３１のディスプレイに脈波データを処理して得られる計測データを表示すると、被検者や医師などがその場で健康状態を確認できる。計測データは、表示されずに脈波計測装置１に返送しても良い。
脈波計測装置１では、コントローラ２１から暗号処理部２３に計測データが送られる。暗号処理部２３は、予め登録されている共通鍵を用いて計測データを暗号化し、フラッシュメモリ２４の計測データの領域３４に格納する。
【００２７】
フラッシュメモリ２４の領域３４に記憶されている計測データにアクセスするときは、コンピュータ３１から共通鍵を入力する。ユーザが入力した共通鍵が、予め登録されている共通鍵に一致した場合には、その共通鍵で復号化され、コンピュータ３１に読み込むことが可能になる。コンピュータ３１に読み込まれた計測データは、計測用のアプリケーションソフトを使ってコンピュータ３１のディスプレイに表示させることができる。フラッシュメモリ２４に保存しておいた計測データを表示させることで、後から健康状態を確認できる。コンピュータ３１は、計測時と異なる処理装置でも良いので、異なる場所でも健康状態を確認できる。
なお、この脈波計測装置１は、脈波を計測しないときでもコンピュータ３１にＵＳＢ接続すれば、フラッシュメモリ２４のユーザ領域３５を使用してデータを読み書きすることもできる。このときに読み書きされるデータは、脈波に関するデータに限定されず、種々のデータを取り扱うことができる。
【００２８】
この実施の形態では、ＵＳＢ接続可能な本体部２に光電センサユニット２５を直接搭載したので、汎用性の高い脈波計測装置が得られる。脈波計測装置１の端部を指先で挟めば良いので、脈波を簡単に計測できる。指が動き難くなるので計測精度を向上できる。本体部２にリブ７を突設させて外部の光を遮断するようにしたので、簡単な構成でありながら脈波を確実に計測できる。
光電センサユニット２５は、発光出力を変更したり、受光素子１１の出力信号を変調したりできるので、脈波の計測を精度良く行える。
脈波を解析した計測データは、脈波計測装置１に記憶され、外部の装置には残らないので、個人の情報を保護することができる。特に、コンピュータ３１に多数の人がアクセス可能な場合の個人情報の保護に優れる。また、脈波計測装置１は、容易に持ち運びできるので、計測した場所と異なる所で計測データの確認ができる。計測日時の異なる複数の計測データを保存しておき、病院などの検査に使用するなど、計測データを種々の形態で利用できるようになる。
脈波計測装置１では、脈波の計測データを暗号化して保存するので、共通鍵を知らされていない第三者は計測データにアクセスすることができない。したがって、高いセキュリティを確保できる。個人の脈波の情報が本人の意思と関係なく他人に参照されることを防止でき、個人情報を保護できる。
【００２９】
なお、本発明は、前記の実施の形態に限定されずに広く応用することが可能である。
例えば、コンピュータとの接続は、ＵＳＢ対応の延長ケーブルを介して接続しても良い。ＵＳＢポートがコンピュータの背面などに設けられている場合に脈波の計測を容易に行える。
通信用のＵＳＢプラグ３は、双方向通信が可能であれば如何なるインターフェイスであれば良く、ＵＳＢに限定されない。ただし、ＵＳＢを使用した方が汎用性をより高められる。
脈波計測装置１に接続して使用される機器は、携帯電話であっても良い。この場合には、携帯電話が備える双方向通信用のインターフェイスに適合するプラグ形状が用いられる。
コンピュータ３１は、他の装置に無線又は有線で通信できる構成でも良い。脈波計測用のアプリケーションソフトをアップグレードする場合などに使用できる。
光電センサユニット２５は、反射型に限定されずに透過型のセンサでも良い。この場合、指先を覆うように計測部４を設け、指先を挟むように発光素子１０と受光素子１１を配置する。
【図面の簡単な説明】
【００３０】
【図１】本発明の実施の形態に係る脈波計測装置の外観を示す平面図である。
【図２】脈波計測装置の側面図である。
【図３】図１のＡ矢視図である。
【図４】脈波計測装置の構成を示すブロック図である。
【図５】フラッシュメモリのメモリブロックを示す模式図である。
【図６】脈波計測装置の基板の一方の面の回路レイアウトの一例を示す図である。
【図７】図６の示す基板の他方の面の回路レイアウトの一例を示す図である。
【図８】アプリケーションソフトの自動起動処理を説明するフローチャートである。
【図９】脈波計測装置の使用方法を説明する図である。
【図１０】発光素子を間欠発光させるときのタイミングチャートである。
【符号の説明】
【００３１】
１      脈波計測装置
２      本体部
３      ＵＳＢプラグ（接続部）
４      計測部
７      リブ
１０      発光素子（反射型のセンサ、発光部）
１１      受光素子（反射型のセンサ、受光部）
１２      弾性体
２３      暗号処理部
２４      フラッシュメモリ
２５      光電センサユニット
３１      コンピュータ（処理装置）
３４      領域（計測データを保存する領域）
３５      領域（データの書き込みや読み出しが可能な領域）
【図１】
2008113895.tif 000003
【図２】
2008113895.tif 000004
【図３】
2008113895.tif 000005
【図４】
2008113895.tif 000006
【図５】
2008113895.tif 000007
【図６】
2008113895.tif 000008
【図７】
2008113895.tif 000009
【図８】
2008113895.tif 000010
【図９】
2008113895.tif 000011
【図１０】
2008113895.tif 000012